(57)【要約】【課題】電気機器のパラメータの情報量に関わらず、電気機器の機器及び運用状況の改善後における電力ロードカーブを算出できる、電力ロードカーブ算出技術を提供する。【解決手段】各需要家における電気機器パラメータ及び前記電気機器の運転パラメータ、当該需要家における単位時間毎の電力量データ、並びに当該需要家における現在の電力ロードカーブデータを受け付け、前記電気機器パラメータ、前記運転パラメータ、並びに前記ロードカーブデータに基づいて、当該需要家における現在の用途別電力量データを算出し、当該需要家に導入する新規電気機器に関する導入電気機器パラメータを受け付け、前記現在の用途別電力量データと前記導入電気機器パラメータとに基づいて、前記新規電気機器導入後の電力ロードカーブデータを算出するようにした。【選択図】  図２
2004272340.tif 000002
【特許請求の範囲】
【請求項１】
各需要家における電気機器パラメータ及び前記電気機器の運転パラメータ、当該需要家における単位時間毎の電力量データ、並びに当該需要家における現在の電力ロードカーブデータを受け付けるステップと、
前記電気機器パラメータ、前記運転パラメータ、並びに前記ロードカーブデータに基づいて、当該需要家における現在の用途別電力量データを算出するステップと、
当該需要家に導入する新規電気機器に関する導入電気機器パラメータを受け付けるステップと、
前記現在の用途別電力量データと前記導入電気機器パラメータとに基づいて、前記新規電気機器導入後の電力ロードカーブデータを算出するステップと、をコンピュータに実行させるための電力ロードカーブ算出プログラム。
【請求項２】
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出するステップを前記コンピュータに実行させる、請求項１に記載の電力ロードカーブ算出プログラム。
【請求項３】
前記コンピュータが電気機器パラメータ及び運転パラメータのデフォルト値データを格納するデフォルト値データベースに接続可能であって、
前記電気機器パラメータ及び前記運転パラメータとしてデフォルト値データを用いるか否かを判断するステップと、
当該需要家に適合するデフォルト値データをデフォルト値データベースから索出するステップと、
当該需要家に適合するデフォルト値データを電気機器パラメータ及び運転パラメータとして前記コンピュータに認識させるステップと、を前記コンピュータに実行させる、請求項２に記載の電力ロードカーブ算出プログラム。
【請求項４】
前記コンピュータが電気機器の最適運転状況データを格納した最適運転データベースに接続可能であって、
前記電気機器パラメータ及び前記運転パラメータに基づいて、当該需要家における電気機器の最適運転状況データを算出するステップを前記コンピュータに実行させる、請求項２または３に記載の電力ロードカーブ算出プログラム。
【請求項５】
各需要家における電気機器パラメータ及び前記電気機器の運転パラメータ、当該需要家における単位時間毎の電力量データ、並びに当該需要家における現在の電力ロードカーブデータを受け付ける手段と、
前記電気機器パラメータ、前記運転パラメータ、並びに前記ロードカーブデータに基づいて、当該需要家における現在の用途別電力量データを算出する手段と、
当該需要家に導入する新規電気機器に関する導入電気機器パラメータを受け付ける手段と、
前記現在の用途別電力量データと前記導入電気機器パラメータとに基づいて、前記新規電気機器導入後の電力ロードカーブデータを算出する手段と、を有する電力ロードカーブ算出システム。
【請求項６】
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出する手段を有する、請求項５に記載の電力ロードカーブ算出システム。
【請求項７】
前記電力ロードカーブ算出システムが電気機器パラメータ及び運転パラメータのデフォルト値データを格納するデフォルト値データベースに接続可能であって、
前記電気機器パラメータ及び前記運転パラメータとしてデフォルト値データを用いるか否かを判断する手段と、
当該需要家に適合するデフォルト値データをデフォルト値データベースから索出する手段と、
当該需要家に適合するデフォルト値データを電気機器パラメータ及び運転パラメータとして前記コンピュータに認識させる手段と、を有する、請求項６に記載の電力ロードカーブ算出システム。
【請求項８】
前記電力ロードカーブ算出システムが電気機器の最適運転状況データを格納した最適運転データベースに接続可能であって、
前記電気機器パラメータ及び前記運転パラメータに基づいて、当該需要家における電気機器の最適運転状況データを算出する手段を有する、請求項６または７に記載の電力ロードカーブ算出システム。
【請求項９】
各需要家における電気機器パラメータ及び前記電気機器の運転パラメータ、当該需要家における単位時間毎の電力量データ、並びに当該需要家における現在の電力ロードカーブデータを受け付けるステップと、
前記電気機器パラメータ、前記運転パラメータ、並びに前記ロードカーブデータに基づいて、当該需要家における現在の用途別電力量データを算出するステップと、
当該需要家に導入する新規電気機器に関する導入電気機器パラメータを受け付けるステップと、
前記現在の用途別電力量データと前記導入電気機器パラメータとに基づいて、前記新規電気機器導入後の電力ロードカーブデータを算出するステップと、をコンピュータが実行する、電力ロードカーブ算出方法。
【請求項１０】
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出するステップを前記コンピュータが実行する、請求項９に記載の電力ロードカーブ算出方法。
【請求項１１】
前記コンピュータが電気機器パラメータ及び運転パラメータのデフォルト値データを格納するデフォルト値データベースに接続可能であって、
前記電気機器パラメータ及び前記運転パラメータとしてデフォルト値データを用いるか否かを判断するステップと、
当該需要家に適合するデフォルト値データをデフォルト値データベースから索出するステップと、
当該需要家に適合するデフォルト値データを電気機器パラメータ及び運転パラメータとして前記コンピュータに認識させるステップと、を前記コンピュータが実行する、請求項１０に記載の電力ロードカーブ算出方法。
【請求項１２】
前記コンピュータが電気機器の最適運転状況データを格納した最適運転データベースに接続可能であって、
前記電気機器パラメータ及び前記運転パラメータに基づいて、当該需要家における電気機器の最適運転状況データを算出するステップを前記コンピュータが実行する、請求項１０または１１に記載の電力ロードカーブ算出方法。
【発明の詳細な説明】
【０００１】
【発明の属する技術分野】
本発明は、電力ロードカーブ算出技術に関し、特に設備導入や機器の運用改善による電力需要の予測を行う電力ロードカーブ算出技術に関する。
【０００２】
【従来の技術】
一般に、電力の需要予測は、電力会社単位で総需要予測をして、ベース負荷を担当する発電所や負荷変化に応じて出力を可変する発電所などを決めて制御していた。その需要予測は、それぞれ電力会社が独自に設備単位での予測を行っていた。
【０００３】
しかし、電力消費者が電力供給事業者を自由に選択して電力の供給を受けられるようになってくると、これらの形態は、電力事情の情勢に適した予測と電力供給制御を行っているとは言い難かった。
【０００４】
また従来は、電力会社以外に、電力供給サービスをおこなう事業者はなく、各電力会社が個々のテリトリについて全体の予測制御をおこなっていたに過ぎない。たとえば天気予報、曜日、あるいは過去の同時期における実績値から、翌日あるいは週単位あるいは所定期間での予測をし、電力供給制御に反映していた。
【０００５】
上述の電力需要量予測に関する先行技術があるが（例えば特許文献１参照）、この文献は、各電力系統における中央給電指令所などにおける電力の需要を、計算機を用いて自動的に予測する方法であった。
【０００６】
上記特許文献１は、いわゆる電力の自由化に対応した電力の需要予測制御ではなかった。特に電力の自由化のもとでは、より高精度の詳細な予測制御を行わないと、電力供給事業者にとっても、また電力消費者にとっても満足できる電力の需給が困難であった。特に新規の電力供給事業者が需要家と契約して電力の供給を行うときには、適切な電力需要予測が重要な課題となる。
【０００７】
また、電力の自由化による電力の供給事業者、いわゆる電力の小売り事業では小売り事業者との契約に基づいて、電力系統の設備単位でグループ化された顧客グループ単位の需要推定値や予測値が必要になる。さらに電力の小売り事業者ごとに需要推定や予測をおこなうと、その小売り事業者と契約している顧客の情報のみを利用するため、算出する推定値乃至は予測値の精度向上に限界があった。
【０００８】
そこで、上述した課題に鑑み、任意の顧客グループにおける、需要の推定や予測値を精度よく求めて電力供給事業者（以下、電力の小売り事業者や従来の電力会社を含み、電力の供給事業者の総称として用いる）に提供する、需要電力の予測サービス方法およびシステムが知られている（例えば特許文献２参照）。
【０００９】
【特許文献１】
特開平１１−３４６４３８号公報
【特許文献２】
特開２００２−４１７１４号公報
【発明が解決しようとする課題】
ところで、近年の電力供給事業者においては、発電時に発生する二酸化炭素、廃棄物等の削減、或いは発電効率を向上させる要求等の省資源化に代表される環境問題、或いは顧客からの電力料金の削減要望に代表される経済的な問題を解消する状況が発生している。
【００１０】
顧客から電力供給事業者への環境問題や経済的な問題に対する要求としては、例えば、電気機器や運用状況を改善することで得られる削減可能な電力量や費用の削減率等の省エネルギー効果の提示し、この省エネルギー効果の提示により電力に関するコンサルタント活動を行うことが挙げられる。上述の活動によれば、電力供給事業者は顧客に対するサービスの向上を図ることができる。
【００１１】
しかしながら、先の特許文献２では、上述した問題を解決するのは困難であった。
【００１２】
また、需要電力の予測を行うには、顧客から電気機器の台数や運転状況などのパラメータを提供してもらう必要がある。しかしながら、顧客側の諸事情によりこれらのパラメータを十分に提供してもらうことができないということがあった。
【００１３】
本発明は、前記した事項に鑑みて為されたものであり、電気機器のパラメータの情報量に関わらず、電気機器の機器及び運用状況の改善後における電力ロードカーブを算出できる、電力ロードカーブ算出技術を提供しようとすることを課題とする。
【００１４】
【課題を解決するための手段】
前記した課題を解決するために、本発明は以下の手段とした。
【００１５】
即ち、本発明は、各需要家における単位時間毎の電力量データを入力可能なコンピュータにおいて、各需要家における電気機器パラメータ及び前記電気機器の運転パラメータ、当該需要家における単位時間毎の電力量データ、並びに当該需要家における現在の電力ロードカーブデータを受け付けるステップと、前記電気機器パラメータ、前記運転パラメータ、並びに前記ロードカーブデータに基づいて、当該需要家における現在の用途別電力量データを算出するステップと、当該需要家に導入する新規電気機器に関する導入電気機器パラメータを受け付けるステップと、前記現在の用途別電力量データと前記導入電気機器パラメータとに基づいて、前記新規電気機器導入後の電力ロードカーブデータを算出するステップと、を前記コンピュータに実行させるようにした。
【００１６】
本発明は、電気機器パラメータ、運転パラメータ、単位時間毎の電力量データ、並びに導入電気機器パラメータに基づいて、現在の電力ロードカーブデータ、現在の用途別電力量データ、並びに新規電気機器導入後の電力ロードカーブデータを算出する。
【００１７】
本発明によれば、需要家における電気機器の改善による使用電力の削減効果を容易に参照できる。
【００１８】
また、本発明は、前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、当該需要家における電気機器改善データを算出するステップを前記コンピュータに実行させてもよい。
【００１９】
本発明によれば、この電気機器改善データによって、電気機器改善による経済的効果及び環境保護のための改善効果を容易に把握することができる。
【００２０】
また、本発明は、前記コンピュータが電気機器パラメータ及び運転パラメータのデフォルト値データを格納するデフォルト値データベースに接続可能であって、前記電気機器パラメータ及び前記運転パラメータとしてデフォルト値データを用いるか否かを判断するステップと、当該需要家に適合するデフォルト値データをデフォルト値データベースから索出するステップと、当該需要家に適合するデフォルト値データを電気機器パラメータ及び運転パラメータとして前記コンピュータに認識させるステップと、を前記コンピュータに実行させるにしてもよい。
【００２１】
本発明によれば、電力ロードカーブデータ算出時に、詳細なデータ量が不足している場合でも、正確な電力ロードカーブデータ及び電気機器改善データを算出することができる。
【００２２】
さらに、本発明は、前記コンピュータが電気機器の最適運転状況データを格納した最適運転データベースに接続可能であって、前記電気機器パラメータ及び前記運転パラメータに基づいて、当該需要家における電気機器の最適運転状況データを算出するステップを前記コンピュータに実行させるようにしてもよい。
【００２３】
本発明によれば、電気機器の改善だけではなく、電気機器の運転状況を効率よく最適な状況で運転する場合を予測することによって、運転状況の改善による電力量の削減等の効果を容易に算出できる。
【００２４】
【発明の実施の形態】
以下、本発明である、電力ロードカーブ算出プログラムの一実施の形態について、図面を参照しつつ説明する。
【００２５】
本実施の形態において、本発明の電力ロードカーブ算出方法を、通常のコンピュータ等の情報処理装置に電力ロードカーブ算出プログラムをインストールして実現している。そして、本実施の形態では、この情報処理装置を電力ロードカーブ算出システムとして、この電力ロードカーブ算出システムの処理について説明している。
【００２６】
図１は本実施の形態における電力ロードカーブ算出システムの概略構成図であり、電力ロードカーブ算出システムを符号１００で示す。
【００２７】
この電力ロードカーブ算出システム１００の装置構成の一例を、図１を参照して説明する。
【００２８】
まず、電力ロードカーブ算出システム１００には、ＣＰＵ（ｃｅｎｔｒａｌ  ｐｒｏｃｅｓｓｉｎｇ  ｕｎｉｔ）１０１とメインメモリ（ＭＭ）１０２とから構成され、アプリケーションプログラムに基づいて処理を行う、演算処理部１０３が設けられている。
【００２９】
前記演算処理部１０３には、バス１０８を介して、記憶装置１０４が接続される。なお、記憶装置１０４には、通常はハードディスク装置等の大容量記憶媒体を用いる。
【００３０】
そして、前記記憶装置１０４には、本電力ロードカーブ算出システム１００が正常に機能するために必要なオペレーティングシステム（ＯＳ）がインストールされている。
【００３１】
また、前記記憶装置１０４内には、通常のアプリケーションプログラムがインストールされている。
【００３２】
さらに、前記記憶装置１０４内には、本発明の電力ロードカーブ算出方法を実現するために作成された、コンピュータで実行可能な電力ロードカーブ算出プログラムがインストールされている。
【００３３】
これらのプログラムは、図示しないＣＤ−ＲＯＭ等の記憶媒体に格納されて本電力ロードカーブ算出システム１００に提供され、図１に示されるＣＤ−ＲＯＭドライブ装置１０９等を通じて、前記記憶装置１０４内に実行可能な状態でインストールされる。
【００３４】
そして、ＣＰＵ１０１が必要に応じて記憶装置１０４内の電力ロードカーブ算出プログラムをメインメモリ１０２にロード（読み込み）し、順次実行することによって、本実施の形態である、電力ロードカーブ算出方法を実現する電力ロードカーブ算出システム１００における手段を実現している。
【００３５】
前記記憶装置１０４内には、本発明の電力ロードカーブ算出方法を実現するために必要なデータベースが設けられている。
【００３６】
前記データベースには、実績パラメータ１ａ、既存設備データベース２ａ、並びに実績ロードカーブデータ３ａが格納されている。なお、データベース内における、これらのパラメータの具体的内容については後述する。
【００３７】
また、本電力ロードカーブ算出システム１００の演算処理部１０３には、バス１０８を介して入力手段及び出力手段が接続されている。
【００３８】
電力ロードカーブ算出システム１００の入力手段及び出力手段の一例を挙げる。
【００３９】
まず、入力手段として、各種情報を入力するためのキーボード１０７或いはマウス等の入力装置が設けられている。また、出力手段として、ディスプレイ１０６或いはプリンタ１０５等の出力装置が、バス１０８を介して演算処理部１０３に接続される。
【００４０】
次に、本発明の電力ロードカーブ算出プログラムをコンピュータが実行することで実現される、電力ロードカーブ算出方法の処理の概略を説明する。図２は、本発明の処理の概略を示した図である。
【００４１】
図２において、符号１は需要家における単位時間毎の電力量データを格納する、実績データベースである。符号２は、各需要家から提供された需要家概要データベースである。この需要家電力データベース２は、各需要家における電気機器パラメータとこの電気機器の運転パラメータを含む既存設備データベース２ａと、当該需要家に導入する新規電気機器に関する導入電気機器データベース２ｂとからなる。符号３は、上述した実績データベース１と需要家電力データベース２とに基づいて、電力ロードカーブ算出システム１００によって算出される各種データを示すシミュレーションイメージ３である。さらに、符号４は、電力ロードカーブ算出システム１００が上述のシミュレーションイメージ３に基づいて算出する、新規電気機器導入後の電力量データと当該需要家における電気機器の最適運転状況データとを示す、効果データ４である。
【００４２】
本発明の電力ロードカーブ算出プログラムを実行する電力ロードカーブ算出システム１００は、実績データベース１から各需要家における単位時間毎の電力量データを参照して、当該需要家の現在のロードカーブデータとして実績ロードカーブデータ３ａを算出する（図２におけるステップ１０１、以下Ｓ１０１のように省略する）。
【００４３】
実績ロードカーブデータ３ａを算出した本システム１００は、既存設備データベース２ａを参照し（Ｓ１０２）、この既存設備データベース２ａと実績ロードカーブデータ３ａとに基づいて、当該需要家における現在の用途別ロードカーブデータ３ｂを算出する（Ｓ１０３）。
【００４４】
次に、本システム１００は、この現在の用途別ロードカーブデータ３ｂと、データベース内に格納された導入電気機器データベース２ｂとを参照して（Ｓ１０４）、当該需要家における新規電気機器導入後の用途別ロードカーブデータ３ｃを算出する（Ｓ１０５）。
【００４５】
この新規電気機器導入後の用途別ロードカーブデータ３ｃを算出した本システム１００は、当該需要家における省エネルギー効果、電気機器の負荷率改善効果、或いは電気料金低減効果などを提示可能な、効果データ４を算出する（Ｓ１０６）。
【００４６】
次に、本システム１００による、具体的な電力ロードカーブ算出の手順について説明する。
【００４７】
まず、本システム１００は、電力ロードカーブ算出処理を行う際には、メニュー画面情報を生成して、このメニュー画面情報をディスプレイ１０６等の出力手段から出力する。図３は、このメニュー画面情報を出力したメニュー画面１０の一例である。
【００４８】
メニュー画面１０には、必須設備パラメータ入力ボタン１１，入力情報クリアボタン１２，設備パラメータ自動入力ボタン１３，設備パラメータ自動再入力ボタン１４，自動入力値修正ボタン１５，新規照明設備入力ボタン１６，新規空調設備入力ボタン１７，ピーク調整入力ボタン１８，シミュレーション実行ボタン１９が設けられている。
【００４９】
各ボタンへの処理指示は、以下のように行う。まず、メニュー画面１０上に表示されるポインタを、操作者がポインティングデバイスによって移動させる。そして、このポインタが希望のボタン上に移動したときに、操作者が当該ボタンを指示する動作（例えばマウスであればクリック）をすることによって、本システム１００は当該ボタンに割り当てられた処理を実行する。
【００５０】
次に、メニュー画面１０の各ボタンに割り当てられた処理について説明する。
【００５１】
必須設備パラメータ入力ボタン１１には、建物情報入力ボタン１１ａ，契約電力入力ボタン１１ｂ，代表日の単位時間毎の電力量入力ボタン１１ｃ，各月の使用電力量入力ボタン１１ｄ，実績情報入力ボタン１１ｅ，設備情報入力ボタン１１ｆがある。この必須設備パラメータ入力ボタン１１を押すことによって、本システム１００は、本発明の電気機器パラメータ、運転パラメータ、単位時間毎の電力量データを受け付ける。
【００５２】
建物情報入力ボタン１１ａは、本システム１００によって電力ロードカーブ算出処理を行う需要家の建物に関する情報を入力する際に、操作者が指示するボタンである。
【００５３】
操作者が建物情報入力ボタン１１ａを指示すると、本システム１００は、基本情報入力画面情報を生成し、ディスプレイ１０６上に基本情報入力画面として表示する。図４は、この基本情報入力画面２０の一例である。
【００５４】
本システム１００は、この基本情報入力画面２０の建物情報入力部２１から、業種、営業時間等の電力ロードカーブ算出処理を行う需要家の建物に関する基本的な情報を入力するよう当該操作者に要求する。この基本的な情報は、本発明の電気機器パラメータに相当する。本システム１００は、基本情報入力画面２０上での建物情報の入力が完了すると、メニュー画面１０を表示する。
【００５５】
契約電力入力ボタン１１ｂは、当該需要家の契約電力を入力する際に、操作者が指示するボタンである。
【００５６】
操作者が契約電力入力ボタン１１ｂを指示すると、本システム１００は、基本情報入力画面２０を表示する。操作者はこの基本情報入力画面２０上の契約電力入力部２２に当該需要家の契約電力を入力する。この契約電力は本発明の電気機器パラメータに相当する。本システム１００は、基本情報入力画面２０上での契約電力の入力が完了すると、メニュー画面１０を表示する。
【００５７】
代表日の単位時間毎の電力量入力ボタン１１ｃは、当該需要家での、夏期、冬期、それ以外の中間期の代表日における単位時間毎の電力量を本システム１００に入力する際に、操作者が指示するボタンである。
【００５８】
ここで、本実施の形態における単位時間毎の電力量について説明する。まず、当該需要家における夏期、冬期、それ以外の中間期のそれぞれ一日を代表日として取り出す。次に、この代表日での当該需要家の電力量を、設定した単位時間に区切って算出する。そして、この電力量を本実施の形態における単位時間毎の電力量として利用する。
【００５９】
操作者は、この単位時間毎の電力量を基本情報入力画面２０の単位時間毎の電力量入力部２３に入力する。本システム１００は、この代表日の単位時間毎の電力量の入力が完了すると、メニュー画面１０を表示する。
【００６０】
各月の使用電力量入力ボタン１１ｄは、当該需要家における使用電力量を操作者が入力する際に指示するボタンである。操作者がこの各月の使用電力量入力ボタン１１ｄを指示すると、本システム１００は、基本情報入力画面２０を表示して、各月の使用電力量入力部２４へ電力使用量の入力を受け付ける。この各月の使用電力量は、本発明の運転パラメータに相当する。本システム１００は、この各月の使用電力量入力部２４への電力使用量の入力が完了すると、メニュー画面１０を表示する。
【００６１】
実績情報入力ボタン１１ｅは、当該需要家における電気機器の力率、蓄熱電力割引額、ピーク調整割引額、請求金額等の、上述した以外の実績情報を入力する際に操作者が用いるボタンである。操作者がこの実績情報入力ボタン１１ｅを指示すると、本システム１００は、基本情報入力画面２０を表示して、実績情報入力部２５へ、実績情報の入力を受け付ける。この実績情報は、本発明の運転パラメータに相当する。本システム１００は、この実績情報の入力が完了すると、メニュー画面１０を表示する。
【００６２】
設備情報入力ボタン１１ｆは、当該需要家における電気機器の設備パラメータを操作者が入力する際に指示するボタンである。操作者がこの設備情報入力ボタン１１ｆを指示すると、本システム１００は照明設備入力画面情報及び空調設備入力画面情報を生成し、ディスプレイ１０６上に照明設備入力画面３０及び空調設備入力画面４０を表示する。なお、図５は照明設備入力画面３０の一例であり、図６は空調設備入力画面４０の一例である。
【００６３】
照明設備入力画面３０には、Ｈｆ（Ｈｉｇｈ  ｆｒｅｑｕｅｎｃｙ：高周波）照明器具の使用率，設定照度，タスク照明の有無，昼光利用の有無，初期照度補正の有無の設定を行う、照明省エネ入力部３１が設けられている。また、照明設備入力画面３０には、照明器具の消費電力，当該需要家における事務室の割合を入力する、照明設備情報入力部３２が設けられている。さらに、照明設備入力画面３０には、前述の照明設備情報入力部３２に入力した照明設備情報に含まれない他の照明設備情報を入力する、詳細照明設備情報入力部３３が設けられている。加えて、照明設備入力画面３０には、照明器具台数情報入力部３４，単位面積当たり照明電力入力部３５が設けられている。
【００６４】
なお、この詳細照明設備情報入力部３３，照明器具台数情報入力部３４，単位面積当たり照明電力入力部３５には、具体的数値を入力しなくてもよく、標準値ボタン（不図示）乃至メニュー画面１０上の自動入力ボタン１３を指示することで、本システム１００は、基本情報及び詳細照明設備情報から既定の数値（デフォルト値）を割り当てることができる。
【００６５】
空調設備入力画面４０には、空調条件入力部４１，一次側機器の冷熱源情報入力部４２，一次側機器の温熱源情報入力部４３，二次側機器情報入力部４４，蓄熱槽情報入力部４５が設けられている。空調条件入力部４１には、季節毎の空調の設定温度を入力する。一次側機器の冷熱源情報入力部４２には、主に冷房機器に関する、熱源容量，冷房能力，ポンプ容量等を入力する。一次側機器の温熱源情報入力部４３には、主に暖房機器に関する、熱源容量，暖房能力，ポンプ容量等を入力する。二次側機器情報入力部４４には、二次ポンプの容量、ファンの容量、全熱交換機の有無などを入力する。蓄熱槽情報入力部４５には、蓄熱槽の性能に関する情報を入力する。
【００６６】
なお、この空調条件入力部４１，一次側機器の冷熱源情報入力部４２，一次側機器の温熱源情報入力部４３，二次側機器情報入力部４４，蓄熱槽情報入力部４５には、具体的数値を入力しなくてもよく、標準値ボタン（不図示）乃至メニュー画面１０上の自動入力ボタン１３を指示することで、本システム１００は、基本情報から既定の数値（デフォルト値）を割り当てることができる。
【００６７】
本システム１００は、この照明設備入力画面３０及び空調設備入力画面４０への入力が完了すると、メニュー画面１０を表示する。
【００６８】
なお、先の照明設備入力画面３０及び空調設備入力画面４０への入力をメニュー画面１０から修正する場合には、以下の手順をとる。操作者は、メニュー画面１０上の自動入力値修正ボタン１５から、修正する各項目を選択し、照明設備入力画面３０及び空調設備入力画面４０を表示して入力を修正できる。
【００６９】
ここで、上述の自動入力値修正ボタン１５は、需給契約入力ボタン１５ａ，照明設備、その他機器設備入力ボタン１５ｂ，空調設備入力ボタン１５ｃ，運用パターン入力ボタン１５ｄに分けられている。以下に各ボタンを指示することで入力できる情報について説明する。
【００７０】
需給契約入力ボタン１５ａから指示を受け付けると、本システム１００は、需給契約入力画面情報を生成して、図７に示す需給契約入力画面５０をディスプレイ１０６に表示する。この需給契約入力画面５０では、当該需要家における、電力供給事業者との需給契約の内容を需給契約入力部５１に、割引単価等の情報を割引単価情報入力部５２に、それぞれ入力できる。
【００７１】
照明設備、その他機器設備入力ボタン１５ｂから指示を受け付けると、本システム１００は、照明設備入力画面３０をディスプレイ１０６に表示する。照明設備、その他機器設備入力ボタン１５ｂを指示した場合に本システム１００は、照明設備入力画面３０における、詳細照明設備情報入力部３３，照明器具台数情報入力部３４，単位面積当たり照明電力入力部３５への入力を受け付けることができる。
【００７２】
空調設備入力ボタン１５ｃから指示を受け付けると、本システム１００は、空調設備入力画面４０をディスプレイ１０６に表示する。空調設備入力ボタン１５ｃを指示した場合に本システム１００は、空調設備入力画面４０における、空調条件入力部４１，一次側機器の冷熱源情報入力部４２，一次側機器の温熱源情報入力部４３，二次側機器情報入力部４４，蓄熱槽情報入力部４５から、現在の空調設備に関する設備パラメータ及び運転パラメータを受け付けることができる。
【００７３】
運用パターン入力ボタン１５ｄから指示を受け付けると、本システム１００は、運用パターン入力画面情報を生成し、図８に示す運用パターン入力画面６０をディスプレイ１０６に表示する。この運用パターン入力画面６０には、運用パターン表示部６１、運用パターン選択部６２、運用パターン数値入力部６３、昼休み消灯情報入力部６４が設けられている。この運用パターン入力画面６０では、当該需要家における電気機器の運用パターンを運用パターン選択部６２から選択する、或いは運用パターン数値入力部６３に当該需要家における電気機器の運用パターンの数値を入力すると、運用パターン表示部６１に当該需要家における電気機器の運用パターンが表示される。また、昼休みに消灯する場合には、昼休み消灯情報入力部６４に昼休みの時間と消灯の有無とを入力する。この運用パターン入力画面６０では、本発明の最適運転状況を算出する際に用いる情報を取得する。また、運用パターン選択部６２の情報は、本発明の最適運転状況データに相当する。
【００７４】
以上の基本情報入力画面２０、照明設備入力画面３０、並びに空調設備入力画面４０によって、本システム１００は、当該需要家における現在の設備パラメータ及び運転パラメータを取得する。
【００７５】
続いて、本システム１００は、新規照明設備入力ボタン１６及び新規空調設備入力ボタン１７の指示によって、当該需要家における新規電気機器導入後の設備パラメータ及び運転パラメータを取得する。
【００７６】
メニュー画面１０上の新規照明設備入力ボタン１６は、当該需要家における新規照明設備の導入情報や照明設備の改善情報等を入力する際に、メニュー画面１０上にある各メニューに従って操作者が指示するためのボタンである。
【００７７】
新規照明設備入力ボタン１６のメニューには、Ｈｆ照明への変更、照度の適正化、昼光利用、初期照度補正、昼休みの消灯などが挙げられる。この新規照明設備入力ボタン１６を指示すると、本システム１００は、照明設備入力画面３０を表示して、前述の新規照明設備の情報を受け付ける。
【００７８】
メニュー画面１０上の新規空調設備入力ボタン１７は、設定室温・湿度の変更、熱源ＣＯＰの向上、全熱交換機の導入などが挙げられる。この新規空調設備入力ボタン１７を指示すると、本システム１００は、空調設備入力画面４０を表示して、前述の新規空調設備の情報を受け付ける。
【００７９】
以上の項目の入力によって、本システム１００は、当該需要家における新規照明設備及び新規空調設備を導入した場合の設備パラメータ及び運転パラメータを取得する。これらの設備パラメータ及び運転パラメータを取得した後、本システム１００は、メニュー画面１０を表示する。
【００８０】
続いて、本システム１００は、メニュー画面１０上でピーク調整入力ボタン１８の指示を受けると、図７に示す需給契約入力画面５０が表示される。この需給契約入力画面５０で入力する情報は、本発明においてデータベースに格納される最適運転状況データに相当する。当該需要家における設備毎のピーク調整を行う時間帯、調整の方法などの情報は、この需給契約入力画面５０のピーク調整入力部５３に入力する。ピーク調整入力部５３にピーク調整の情報を受け付けると、本システム１００は、メニュー画面１０を表示する。
【００８１】
以上の電力ロードカーブ算出に必要な情報の入力が完了すると、本システム１００は、メニュー画面１０上のシミュレーション実行ボタン１９から、操作者の指示を受けつけることが可能となり、このシミュレーション実行ボタン１９が指示されると、本システム１００は、本発明の電力ロードカーブ算出プログラムを実行して、当該需要家における現在の電力ロードカーブデータ、現在の用途別電力量データ、新規電気機器導入後の電力ロードカーブデータ、改善データを算出する。
【００８２】
〈算出データ〉
次に、本発明の電力ロードカーブ算出プログラムによって算出されるデータについて説明する。なお、本実施の形態では、電力ロードカーブデータには、単位時間毎の電力量を用いる。
【００８３】
本発明の電力ロードカーブ算出プログラムによって算出される電力ロードカーブデータ及び改善データには、代表日の単位時間毎の電力量の変化表、年間効果データ表、夏期・冬期・中間期の代表日における需要家全体の単位時間毎の電力量の変化を示すグラフ、各期間における用途別単位時間毎の電力量の変化を示すグラフ、各期間の需要家全体の単位時間毎の電力量を用途別に分類した棒グラフ、需要家における改善前後の電力使用量を月毎に比較表示した棒グラフ、需要家における改善前後の年間電力使用量を比較表示した棒グラフ、需要家における改善前後の電気料金を月毎に比較表示した棒グラフ、需要家における改善前後の年間電気料金を比較表示した棒グラフがある。これら電力ロードカーブデータ及び改善データについて説明する。
【００８４】
図９は、本システム１００が算出した、代表日の単位時間毎の電力量変化表の一例である。この代表日の単位時間毎の電力量変化表には、需要家全体における各期間の単位時間毎の電力量、照明設備・空調設備・その他の電気機器に分類された用途別単位時間毎の電力量、ピーク時間帯の改善前後の電力差、各期間における改善前後の電力量の比、が表示される。この代表日の単位時間毎の電力量変化表によれば、本システム１００は、需要家における電気機器の改善、及び電気機器の運転パラメータの改善による効果を、需要家或いは電力供給事業者に対して容易に認識させることができる。
【００８５】
図１０は、本システム１００が算出した、需要家における電気機器の改善による年間効果を示す、年間効果データ表の一例である。この年間効果データ表には、契約電力、基本料金、各月の電力使用量、従量料金、蓄熱電力割引額、蓄熱ピークシフト割引額、ピーク調整割引額、各月請求金額、総合単価、一次エネルギー使用量、二酸化炭素の排出量、各月の時間帯別電力使用量、が表示される。この年間効果データ表によって、本システム１００は、需要家及び電力供給事業者に対して、電気機器及び運転パラメータの改善の効果のうち特に経済的な効果を、容易に認識させることができる。
【００８６】
図１１は、夏期・冬期・中間期の代表日における需要家全体の単位時間毎の電力量の変化を示すグラフの一例である。このグラフでは、特に夏期の単位時間毎の電力量において、昼間のピーク時間帯の使用量が減少していることが分かる。また、このグラフでは、運転パラメータの改善により夜間電力の使用量を増加させることで、上述の昼間のピーク時間帯の使用量を減少させていることが分かる。
【００８７】
図１２は、各期間における用途別単位時間毎の電力量の変化を示すグラフの一例として、夏期の照明設備の単位時間毎の電力量の変化を示している。このグラフでは、照明設備の改善として昼休み消灯の実施及び新規照明設備の導入を行ったことによる効果が示されている。
【００８８】
図１３は、各期間の需要家全体の単位時間毎の電力量を用途別に分類した棒グラフの一例として、夏期における改善前後の単位時間毎の電力量を用途別に分類した棒グラフを示している。この棒グラフでは、主に空調設備の昼間のピーク時間帯の電力使用量を減少させて夜間の電力使用量を増加させたことが分かる。また、この棒グラフでは、昼休み消灯を実施したことで、昼休み時間帯における照明設備の電力使用量が減少したことが分かる。
【００８９】
図１４は、需要家における改善前後の電力使用量を月毎に比較表示した棒グラフの一例である。また、図１５は、需要家における改善前後の年間電力使用量を比較表示した棒グラフの一例である。
【００９０】
図１６は、需要家における改善前後の電気料金を月毎に比較表示した棒グラフの一例である。また、図１７は、需要家における改善前後の年間電気料金を比較表示した棒グラフの一例である。
【００９１】
〈処理フローチャート〉
次に、図１８から図２２のフローチャートを参照して、本システム１００による電力ロードカーブデータ及び改善データの算出処理を、照明設備及び空調設備の場合について説明する。
【００９２】
まず、照明設備の電力ロードカーブデータ及び改善データの算出処理について、図１８及び図１９を参照して説明する。また、この照明設備の電力ロードカーブデータ及び改善データの算出に用いる、記憶装置１０４内のデータテーブル７０の一例を、図２３に示す。
【００９３】
まず、本システム１００は、標準照明機器の一台当たりの容量を示す単器容量（Ｗｃｃ）、標準照明器具の台数（Ｎｃｃ）、Ｈｆ照明器具の単器容量（ＷＨｆ）、夜間の照明率（Ｒｎ）、需要家の延べ床面積（ＴＦ）など、当該需要家の設備パラメータの入力を受け付ける（図１８におけるステップ２０１、以下Ｓ２０１のように省略する）。このとき、本システム１００は、この設備パラメータのデータを、設備パラメータテーブル７０ａに格納する。
【００９４】
本システム１００は、これらの必要な設備パラメータの入力が完了したか否かを判断する（Ｓ２０２）。このステップ２０２において、必要な設備パラメータの入力が完了していればステップ２０６に進み、完了していない場合にはステップ２０３に進む。
【００９５】
必要な設備パラメータの入力が完了していない場合には、本システム１００は、本発明のデフォルト値データを用いるか否かを判断するステップを実行する（Ｓ２０３）。このステップ２０３において、操作者がデフォルト値データを用いないと指示した場合には、本システム１００は、設備パラメータの再入力（Ｓ２０４）を操作者に提示してステップ２０１に戻る。
【００９６】
また、操作者が、設備パラメータにデフォルト値データを用いることを希望した場合に、本システム１００は、記憶装置１０４内のデータベースから設備パラメータのデフォルト値データを索出して、データテーブル７０のデフォルトテーブル７０ｂを介して設備パラメータテーブル７０ａにこのデフォルト値データを入力する（Ｓ２０５）。このときデフォルトテーブル７０ｂには、需要家の規模に応じた設定照度（Ｌｘ＿ｄｅｆ）、Ｈｆ照明削減率（ＲＨｆ）、昼光利用による電力削減率（Ｒｕｄｌ）、初期照度補正削減率（Ｒｆｌ）、人感センサ採用による削減率（Ｒｈｓ）が入力される。ステップ２０５を終了後、本システム１００は、ステップ２０１に戻る。
【００９７】
必要な設備パラメータの入力が完了した場合に、本システム１００は、データテーブル７０における、現状の照明消費電力データテーブル７０ｃに示す、現状の照明消費電力を算出する。この現状の照明消費電力は、
照明消費電力（現状）
ｋＷ＿ｌｉｇｈｔ＝Ｗｃｃ＊Ｎｃｃ    ｏｒ    Ｌｘ＿ｄｅｆ／ＴＦ＊照明係数
設備パラメータテーブル（照明器具）から自動処理で算出
によって求められる。
本システム１００は、この現状の照明消費電力の算出結果に基づいて、照明設備の改善による標準削減電力量の算出を行う（Ｓ２０６）。このときの標準削減電力量は、
標準削減電力
Ｄｍａｘ＝Ｄｈｆ＋Ｄｕｄｌ＋Ｄｆｌ＋Ｄｈｓ
※以下合計値
※設備パラメータテーブル（照明器具）から自動処理で算出
であり、その内訳は、
Ｈｆ照明器具の導入
Ｄｈｆ＝（Ｗｃｃ−ＷＨｆ）＊Ｎｃｃ    ｏｒ    ｋＷ＿ｌｉｇｈｔ＊ＲＨｆ
昼光利用
Ｄｕｄｌ＝ｋＷ＿ｌｉｇｈｔ＊Ｒｕｄｌ
初期照度補正
Ｄｆｌ＝ｋＷ＿ｌｉｇｈｔ＊Ｒｆｌ
人感センサー利用
Ｄｈｓ＝ｋＷ＿ｌｉｇｈｔ＊Ｒｈｓ
となる。
本システム１００は、算出した標準削減電力量をデータテーブル７０内の標準削減電力量テーブル７０ｄに保持する。
【００９８】
続いて、本システム１００は、当該需要家における照明設備の運転パラメータの入力を受け付ける（Ｓ２０７）。このとき、本システム１００が受け付ける運転パラメータは、始業時刻（Ｔｓ）、終業時刻（Ｔｆ）、単位時間ごとの照明点灯率（Ｒｌｎ）、昼休み開始時間（Ｔｌｔｓ）、昼休み終了時間（Ｔｌｔｆ）、昼休みの照明点灯率（Ｒｌｔ）である。本システム１００は、受け付けた照明設備の運転パラメータを、運転パラメータデータテーブル７０ｅに保持する。
【００９９】
本システム１００は、必要な運転パラメータの入力が完了したか否かを判断する（Ｓ２０８）。このステップ２０８において、必要な運転パラメータの入力が完了していればステップ２１２に進み、完了していない場合にはステップ２０９に進む。
【０１００】
必要な運転パラメータの入力が完了していない場合には、本システム１００は、本発明のデフォルト値データを用いるか否かを判断するステップを実行する（Ｓ２０９）。このステップ２０３において、操作者がデフォルト値データを用いないと指示した場合には、本システム１００は、運転パラメータの再入力（Ｓ２１０）を操作者に提示してステップ２０７に戻る。
【０１０１】
また、操作者がデフォルト値データを用いるとした場合には、記憶装置１０４内のデータベースから運転パラメータのデフォルト値データを索出して、データテーブル７０のデフォルトテーブル７０ｆを介して運転パラメータテーブル７０ｅにこのデフォルト値データを入力する（Ｓ２１１）。このとき、入力されるデフォルト値は、始業時刻（ＴＳ＿ｄｅｆ）、終業時刻（ＴＦ＿ｄｅｆ）、単位時間ごとの照明点灯率（Ｒｌｔ＿ｄｅｆ）、夜間点灯率（Ｒｌｎ）、昼休み点灯率（Ｒｌｔ＿ｄｅｆ）である。ステップ２１１を終了後、本システム１００は、ステップ２０７に戻る。
【０１０２】
ステップ２０８にて運転パラメータの入力が完了したことを確認した本システム１００は、夜間・昼間・変動時間帯、及び昼休み時間帯の、各時間帯における削減電力量を算出する（図１９におけるステップ２１２、以下Ｓ２１２のように省略する）。本システム１００は、このステップ２１２にて、本システム１００は、時間帯を昼間、夜間、変動の３つの時間帯に分ける。そして、本システム１００は、昼間時間帯の削減電力量算出を行うためにステップ２１３に進む。
【０１０３】
まず、本システム１００は、夜間時間帯の削減電力量の算出を行う（Ｓ２１６）。このときの削減電力量の算出式は、
夜間時間帯削減電力の算出
Ｄ（ｎ）＝Ｄｍａｘ＊Ｒｎ
運転パラメータテーブル（照明器具）から自動処理で算出
である。
また、本システム１００は、変動時間帯の削減電力量の算出を行う（Ｓ２１８）。このときの削減電力量の算出式は、
変動時間帯削減電力の算出
Ｄ（ｃ１）＝Ｄｍａｘ＊（１−Ｒｎ）＊Ｔ  ＋  Ｄｍａｘ＊Ｒｎ（始業）
Ｄ（ｃ２）＝Ｄｍａｘ＊（１−Ｒｎ）＊Ｔ  ＋  Ｄｍａｘ＊Ｒｎ（終業）
である。
本システム１００は、これらの削減電力量の算出後、削減電力量のデータを単位時間毎の電力量データテーブル７０ｇに保持する。
【０１０４】
昼間時間帯の削減電力量の算出時に本システム１００は、昼休み消灯の実施の有無を判断し（Ｓ２１３）、昼休み消灯を実施する場合に本システム１００は、昼休み時間（Ｔｌｔｓ及びＴｌｔｆ）の入力を受け付け（Ｓ２１４）、昼休み消灯実施時の削減電力量を算出する（Ｓ２１５）。このときの削減電力量の算出式は、
昼休み時間帯削減電力の算出
Ｄ（ｌｔ）＝Ｄｍａｘ＊Ｒｌｔ
である。
また、昼休み消灯を実施しない場合に本システム１００は、昼休み消灯を実施しない場合の削減電力量を算出する（Ｓ２１７）。このときの削減電力量の算出式は、
昼間時間帯削減電力の算出
Ｄ（ｄ）＝Ｄｍａｘ＊Ｒｎ
である。
昼間（昼休み消灯の有無を含む）、夜間、変動時間帯の削減電力量を算出した本システム１００は、
Ｄ（＊）＝Ｄ（ｎ）＋  Ｄ（ｃ１）＋Ｄ（ｃ２）＋  Ｄ（ｄ）＋  Ｄ（ｌｔ）
によって、当該需要家における照明の改善による削減電力量の和を算出する。
【０１０５】
本システム１００は、ステップ２１５，２１６，２１７，２１８にて削減電力量を算出すると、現在の電力ロードカーブデータ（Ｗｈ＿ｌｉｇｈｔ）を受け付ける（Ｓ２１９）。現在の電力ロードカーブデータを受け付けた本システム１００は、改善後の運転パラメータの入力が完了したか否かを確認し（Ｓ２２０）、入力が完了していない場合には操作者に対して再入力を指示する（Ｓ２２１）。
【０１０６】
改善後の運転パラメータの入力が完了した場合に本システム１００は、前述の図９，図１１，図１２，図１３に係るデータのうち、照明設備に関する改善後の電力ロードカーブデータを算出する（Ｓ２２２）。このとき改善後の電力ロードカーブデータの算出に用いる式は、
Ｗｈ＿ｌｉｇｈｔ＝Ｗｈ＿ｌｉｇｈｔ＋Ｄ（＊）
である。
【０１０７】
また、本システム１００は、現在のデータと改善データとを比較した年間効果データ等、図９、図１０、並びに図１４から図１７に係る各種改善データの算出処理を行う（Ｓ２２３）。このときの契約電力量軽減効果は、
契約電力低減効果＝Ｄｍａｘ
であり、電力量の削減効果は、
電力量削減効果＝ΣＤ（＊）
である。
【０１０８】
以上の処理によって、本システム１００は電力ロードカーブ算出プログラムによる、照明設備改善時における電力ロードカーブ算出処理を終了する。
【０１０９】
次に、空調設備の電力ロードカーブデータ及び改善データの算出処理について、図２０から図２２を参照して説明する。また、この空調設備の電力ロードカーブデータ及び改善データの算出に用いる、記憶装置１０４内のデータテーブル８０，８１の一例を、図２４から２７に示す。
【０１１０】
まず、本システム１００は、内部熱負荷と外部熱負荷とに場合分けをして熱負荷の計算を行う（図２０におけるステップ３０１、以下Ｓ３０１のように省略する）。このとき、内部熱負荷の計算はステップ３０２に進み、外部熱負荷の計算はステップ３０８に進む。
【０１１１】
ステップ３０２では、電算機の容量（ｋＷ（ＣＰＵ））、単位時間ごとの照明点灯率（Ｒｌｄ）、照明消費電力（ｋＷ（ＰＲＥ））、始業時刻（ＴＳ）、終業時刻（ＴＳ）、就業人数（ＮＷ）といった、空調の内部熱負荷に関する設備パラメータの入力を受け付ける（Ｓ３０２）。このとき、本システム１００は、この内部熱負荷の設備パラメータのデータを、設備パラメータテーブル８０ａに保持する。
【０１１２】
本システム１００は、必要な設備パラメータの入力が完了したか否かを判断する（Ｓ３０３）。このステップ３０３において、必要な設備パラメータの入力が完了していればステップ３０７に進み、完了していない場合にはステップ３０４に進む。
【０１１３】
必要な設備パラメータの入力が完了していない場合には、本システム１００は、本発明のデフォルト値データを用いるか否かを判断するステップを実行する（Ｓ３０４）。このステップ３０４において、操作者がデフォルト値データを用いないと指示した場合には、本システム１００は、設備パラメータの再入力（Ｓ３０５）を操作者に提示してステップ３０２に戻る。
【０１１４】
また、操作者がデフォルト値データを用いるとした場合には、記憶装置１０４内のデータベースから設備パラメータのデフォルト値データを索出して、データテーブル８０のデフォルトテーブル８０ｂを介して設備パラメータテーブル８０ａにデフォルト値データを入力する（Ｓ３０６）。このときのデフォルト値は、始業時刻（ＴＳ＿ｄｅｆ）、終業時刻（ＴＦ＿ｄｅｆ）、標準単位内部単位熱負荷（ＴＬｉｎ＿ｄｅｆ）である。ステップ３０６を終了後、本システム１００は、ステップ３０２に戻る。
【０１１５】
必要な設備パラメータの入力が完了した場合に、本システム１００は、データテーブル８０にある内部熱負荷テーブル８０ｂにある、内部熱負荷の算出を行う（Ｓ３０７）。この内部熱負荷は、照明発熱と人体からの負荷と機器の発熱との和である。
【０１１６】
ステップ３０８では、空調開始時間（Ｔｓ＿ａｃ）、空調停止時間（Ｔｆ＿ａｃ）、外壁条件（熱貫流率）（Ｋ）といった、空調の外部熱負荷に関する設備パラメータの入力を受け付ける（Ｓ３０８）。このとき、本システム１００は、この外部熱負荷の設備パラメータのデータを、設備パラメータテーブル８０ｃに保持する。
【０１１７】
本システム１００は、必要な設備パラメータの入力が完了したか否かを判断する（Ｓ３０９）。このステップ３０９において、必要な設備パラメータの入力が完了していればステップ３１３に進み、完了していない場合にはステップ３１０に進む。
【０１１８】
必要な設備パラメータの入力が完了していない場合には、本システム１００は、本発明のデフォルト値データを用いるか否かを判断するステップを実行する（Ｓ３１０）。このステップ３１０において、操作者がデフォルト値データを用いないと指示した場合には、本システム１００は、設備パラメータの再入力（Ｓ３１１）を操作者に提示してステップ３０８に戻る。
【０１１９】
また、操作者がデフォルト値データを用いるとした場合に本システム１００は、記憶装置１０４内のデータベースから設備パラメータのデフォルト値データを索出して、データテーブル８０の外部熱負荷のデフォルトテーブル８０ｄを介して設備パラメータテーブル８０ｃにこのデフォルト値データを入力する（Ｓ３１２）。このとき、本システム１００は、デフォルト値として、空調開始時間（Ｔｓ＿ａｃ＿ｄｅｆ）、空調停止時間（Ｔｆ＿ａｃ＿ｄｅｆ）、外気条件（熱貫流率）（Ｋ）、標準外部単位熱負荷（ＴＬｏｕｔ＿ｄｅｆ）、一時間毎の外気温度パターン（ＴＨＭ＿ｏｕｔ）を受け付ける。ステップ３１２を終了後、本システム１００は、ステップ３０８に戻る。
【０１２０】
必要な設備パラメータの入力が完了した場合に、本システム１００は、データテーブル８０の外部熱負荷テーブル８０ｄにある、外部単位熱負荷（ＴＬｏｕｔ）の算出を行う（Ｓ３１３）。この外部単位熱負荷の算出は、本システム１００によって、設備パラメータテーブル８０ｃのデータを参照して行われる。
【０１２１】
ステップ３０７及びステップ３１３にて、内部熱負荷（ＴＬｉｎ）及び外部熱負荷（ＴＬｏｕｔ）の算出が完了すると、本システム１００は、データテーブル８０の空調機熱負荷テーブル８０ｅにある、各空調機の負荷率（ＴＬｉｎ＋ｏｕｔ）を算出する（Ｓ３１４）。
【０１２２】
続いて、本システム１００は、当該需要家における現在の空調設備の設備パラメータの入力を受け付ける（図２１におけるステップ３１５、以下Ｓ３１５のように省略する）。空調設備の設備パラメータは、延べ床面積（ＴＡ）、熱源能力合計（ｋＷ＿ＨＰ）、熱源ＣＯＰ（ＣＯＰ）、ポンプ定格合計（ｋＷ＿Ｐｕｍｐ）、ポンプ搬送効率（ＥＦ＿Ｐｕｍｐ）、水搬送温度差（ＴＨＭ＿ｄｅｆＷ）、ファン定格合計（ｋＷ＿Ｆａｎ）、ファン搬送効率（ＥＦ＿Ｆａｎ）、空調搬送温度差（ＴＨＭ＿ｄｅｆＡ）、全熱交換機の有無（ＨＥＸ＿ｅｘｉ）、蓄熱設備の有無（ＴＳ＿ｅｘｉ）である。受け付けた空調設備の設備パラメータは、データテーブル８０内の設備パラメータ８０ｆに保持される。
【０１２３】
本システム１００は、必要な設備パラメータの入力が完了したか否かを判断する（Ｓ３１６）。このステップ３１６において、必要な設備パラメータの入力が完了していればステップ３２２に進み、完了していない場合にはステップ３１７に進む。
【０１２４】
必要な設備パラメータの入力が完了していない場合には、本システム１００は、本発明のデフォルト値データを用いるか否かを判断するステップを実行する（Ｓ３１７）。このステップ３１７において、操作者がデフォルト値データを用いないと指示した場合には、本システム１００は、設備パラメータの再入力（Ｓ３１８）を操作者に提示してステップ３１５に戻る。
【０１２５】
また、操作者がデフォルト値データを用いるとした場合には、記憶装置１０４内のデータベースから設備パラメータのデフォルト値データを索出して、データテーブル８０のデフォルトテーブル８０ｇを介して設備パラメータテーブル８０ｆにこのデフォルト値データを入力する（Ｓ３１９）。このときのデフォルト値は、熱源ＣＯＰ（ＣＯＰ＿ｄｅｆ）、標準熱源能力（ｋＷ＿ＨＰ＿ｄｅｆ）、標準ポンプ定格合計（ｋＷ＿Ｐｕｍｐ＿ｄｅｆ）、標準ポンプ搬送効率（ＥＦ＿Ｐｕｍｐ＿ｄｅｆ）、標準水搬送温度差（ＴＨＭ＿ｄｅｆＷ＿ｄｅｆ）、標準ファン定格合計（ｋＷ＿Ｆａｎ＿ｄｅｆ）、標準ファン搬送効率（ＥＦ＿Ｆａｎ＿ｄｅｆ）、標準空調搬送温度差（ＴＨＭ＿ｄｅｆＡ＿ｄｅｆ）である。ステップ３１９を終了後、本システム１００は、ステップ３１５に戻る。
【０１２６】
設備パラメータの入力が完了した後、本システム１００は、各空調機の消費電力割合を、設備パラメータデータテーブル８０ｆのうち熱源ＣＯＰを参照して（Ｓ３２０）算出する（Ｓ３２２）。
【０１２７】
本システム１００は、熱源・ポンプ・ファンの用途別消費電力量の算出を、設備パラメータデータテーブル８０ｆのうち熱源能力（ｋＷ＿ＨＰ）、ポンプの定格消費電力（ｋＷ＿Ｐｕｍｐ）、ファンの動力（ｋＷ＿Ｆａｎ）（Ｓ３２１）と、データテーブル８０の消費電力算出テーブル８０ｈの計算式
空調消費電力（単位時間毎）
ｋＷ＿ａｃ＿ｔｏｔａｌ＝ｋＷ＿ＨＰ＋ｋＷ＿Ｐｕｍｐ＋ｋＷ＿Ｆａｎ
熱源消費電力（単位時間毎）
ｋＷ＿ＨＰ＝ＲＬ＿ＨＰ  ＊  ｋＷ＿ＨＰ
ポンプ消費電力（単位時間毎）
ｋＷ＿Ｐｕｍｐ＝ＲＬ＿Ｐｕｍｐ  ＊  ｋＷ＿Ｐｕｍｐ
ファン消費電力（単位時間毎）
ｋＷ＿Ｆａｎ＝ＲＬ＿Ｆａｎ  ＊  ｋＷ＿Ｆａｎ
を参照して行う（Ｓ３２３）。
【０１２８】
本システム１００は、ステップ３２２，３２３で算出した用途別消費電力量に基づいて、空調設備全体の消費電力量Ａの算出を行う（Ｓ３２４）。また、本システム１００は、デフォルト値に基づいた空調設備全体の消費電力量Ｂ（空調熱負荷パターン）を算出する（Ｓ３２５）。消費電力量Ａ及び消費電力量Ｂの計算式は、
［消費電力量Ａ］
全消費電力（単位時間毎）
ｋＷ＿ｔｏｔａｌ    建物全体の消費電力
計測結果を利用して入力
［消費電力量Ｂ］
標準空調消費電力（単位時間毎）
ｋＷ＿ａｃ＿ｔｏｔａｌ＿ｄｅｆ
全消費電力（単位時間毎）から算出
消費電力補正割合（単位時間毎）
Ｒ＿ｃｏｒ＝ｋＷ＿ａｃ＿ｔｏｔａｌ＿ｄｅｆ、ｋＷ＿ａｃ＿ｔｏｔａｌの比較により算出
補正空調消費電力（単位時間毎）
ｋＷ＿ａｃ＿ｔｏｔａｌ＿ｃｏｒ＝ｋＷ＿ａｃ＿ｔｏｔａｌ＊Ｒ＿ｃｏｒ
補正熱源消費電力（単位時間毎）
ｋＷ＿ＨＰ＿ｃｏｒ＝ｋＷ＿ＨＰ＊Ｒ＿ｃｏｒ
補正ポンプ消費電力（単位時間毎）
ｋＷ＿Ｐｕｍｐ＿ｃｏｒ＝ｋＷ＿Ｐｕｍｐ＊Ｒ＿ｃｏｒ
補正ファン消費電力（単位時間毎）
ｋＷ＿Ｆａｎ＿ｃｏｒ＝ｋＷ＿Ｆａｎ＊Ｒ＿ｃｏｒ
である。
【０１２９】
本システム１００は、空調設備の消費電力量Ａ及びＢの差を比較し、補正を実施する（Ｓ３２６）。ステップ３２６の実施後、Ａ及びＢに差があるか否かを判断し（Ｓ３２７）、差が生じていない場合にはステップ３２６の処理に戻る。
【０１３０】
続いて、本システム１００は、熱源ＣＯＰ（ＣＯＰ＿ｎｅｗ）、空調機のインバータ制御（Ｒ＿ｉｎｖ）、台数制御（Ｒ＿ｎｃ）等の、改善後の設備パラメータの入力を、図２４から図２７に示すデフォルトテーブル８１ａからこれらの設備パラメータを索出して受け付ける（図２２におけるステップ３２８、以下Ｓ３２８のように省略する）。
【０１３１】
本システム１００は、ステップ３２８で入力されたパラメータ及びデフォルト値と、導入後消費電力量データテーブル８１ｅを参照して、改善後の空調設備の消費電力量を算出する（Ｓ３２９）。このときの計算式は、
全消費電力（単位時間毎）
ｋＷ＿ｔｏｔａｌ＝建物全体の消費電力
計測結果を利用して入力
総熱負荷（単位時間毎）
ＴＬ＿ａｃ＿ｔｏｔａｌ＝ＴＬ＿ｉｎ＋ｏｕｔ＊ＴＡ
熱源負荷率（単位時間毎）
ＲＬ＿ＨＰ＝ＴＬ／ｋＷ＿ＨＰ
ポンプ負荷率（単位時間毎）
ＲＬ＿Ｐｕｍｐ＝ＴＬ／（ｋＷ＿Ｐｕｍｐ＊ＴＨＭ＿ｄｅｆＷ）
ファン負荷率（単位時間毎）
ＲＬ＿Ｆａｎ＝ＴＬ／（ｋＷ＿Ｆａｎ＊ＴＨＭ＿ｄｅｆＡ）
空調消費電力（単位時間毎）
ｋＷ＿ａｃ＿ｔｏｔａｌ＝ｋＷ＿ＨＰ＋ｋＷ＿Ｐｕｍｐ＋ｋＷ＿Ｆａｎ
内訳
熱源消費電力（単位時間毎）
ｋＷ＿ＨＰ＝ＲＬ＿ＨＰ  ＊  ｋＷ＿ＨＰ
ポンプ消費電力（単位時間毎）
ｋＷ＿Ｐｕｍｐ＝ＲＬ＿Ｐｕｍｐ  ＊  ｋＷ＿Ｐｕｍｐ
ファン消費電力（単位時間毎）
ｋＷ＿Ｆａｎ＝ＲＬ＿Ｆａｎ  ＊  ｋＷ＿Ｆａｎ
である。
【０１３２】
本システム１００は、この導入後消費電力量データテーブル８１ｅとデータテーブル８０の消費電力算出テーブル８０ｈを参照して、現在のロードカーブデータと削減電力量とから、前述の図９，１１，１２，１３に係る各種データのうち、空調設備に関する改善後のロードカーブデータを算出する（Ｓ３３０）。このときの計算式は、
削減電力（高ＣＯＰ機の導入・削減分）
Ｄ（ＣＯＰ）  ＣＯＰ＜ＣＯＰ＿ｓｔｄの場合
Ｄ（ＣＯＰ）＝ｋＷ＿ＨＰ＿ｃｏｒ＊（１−ＣＯＰ／ＣＯＰ＿ｎｅｗ）
削減電力（インバータ制御・ポンプ・削減分）
ｂＲＬ＿Ｐｕｍｐ＜ＲＬ＿Ｐｕｍｐ＿ｓｔｄの場合
Ｄ（ｉｎｖ＿Ｐｕｍｐ）＝ｋＷ＿ｐｕｍｐ＿ｃｏｒ＊Ｒ＿ｉｎｖ
削減電力（インバータ制御・ファン・削減分）
ＲＬ＿Ｆａｎ＜ＲＬ＿Ｆａｎ＿ｓｔｄの場合
Ｄ（ｉｎｖ＿Ｆａｎ）＝ｋＷ＿Ｆａｎ＿ｃｏｒ＊Ｒ＿ｉｎｖ
削減電力（台数制御導入・ポンプ・削減分）
ＲＬ＿Ｐｕｍｐ＜ＲＬ＿Ｐｕｍｐ＿ｓｔｄの場合
Ｄ（ｎｃ＿Ｐｕｍｐ）＝ｋＷ＿ｐｕｍｐ＿ｃｏｒ＊Ｒ＿ｎｃ
削減電力（台数制御導入・ファン・削減分）
ＲＬ＿Ｆａｎ＜ＲＬ＿Ｆａｎ＿ｓｔｄの場合
Ｄ（ｎｃ＿Ｆａｎ）＝ｋＷ＿Ｆａｎ＿ｃｏｒ＊Ｒ＿ｎｃ
削減電力（全熱交換器導入・削減分）
Ｈｅｘ＿ｅｘｉ＝０の場合
Ｄ（ｈｅｘ）  ＝ｋＷ＿ＨＰ＿ｃｏｒ＊Ｒ＿ｈｅｘ＿ＨＰ＋ｋＷ＿Ｐｕｍｐ＿ｃｏｒ＊Ｒ＿ｈｅｘ＿Ｐｕｍｐ＋ｋＷ＿Ｆａｎ＿ｃｏｒ＊Ｒ＿ｈｅｘ＿Ｆａｎ
削減電力（蓄熱導入・昼間削減分）
ＴＳ＿ｅｘｉ＝０＆昼間の場合
Ｄ（ｔｓ＿ｄ）＝ｋＷ＿ＨＰ＿ｃｏｒ＊Ｒ＿ｔｓ＿ＨＰ＿ｄ＋ｋＷ＿Ｐｕｍｐ＿ｃｏｒ＊Ｒ＿ｔｓ＿Ｐｕｍｐ＿ｄ＋ｋＷ＿Ｆａｎ＿ｃｏｒ＊
Ｒ＿ｔｓ＿Ｆａｎ＿ｄ
増加電力（蓄熱導入・夜間増加分）
ＴＳ＿ｅｘｉ＝０または夜間の場合Ｄ（ｔｓ＿ｎ）＝ｋＷ＿ＨＰ＿ｃｏｒ＊Ｒ＿ｔｓ＿ＨＰ＿ｎ＋ｋＷ＿Ｐｕｍｐ＿ｃｏｒ＊Ｒ＿ｔｓ＿Ｐｕｍｐ＿ｎ＋ｋＷ＿Ｆａｎ＿ｃｏｒ＊
Ｒ＿ｔｓ＿Ｆａｎ＿ｎ
現在のロードカーブ
Ｗｈ＿ａｃ
改善後のロードカーブ
Ｗｈ＿ａｃ＝Ｗｈ＿ａｃ＋Ｄ（＊）
Ｄ（＊）＝Ｄ（ＣＯＰ）＋Ｄ（ｉｎｖ＿Ｐｕｍｐ）＋Ｄ（ｉｎｖ＿Ｆａｎ）＋Ｄ（ｎｃ＿Ｐｕｍｐ）＋Ｄ（ｎｃ＿Ｆａｎ）＋Ｄ（ｈｅｘ）＋Ｄ（ｔｓ＿ｄ）＋Ｄ（ｔｓ＿ｎ）
である。また、本システム１００は、現在のロードカーブデータと改善ロードカーブデータとを比較して、図９，１０、及び図１４から図１７に係る改善データの算出処理を行う（Ｓ３３１）。以上の処理が完了すると、本システム１００は、電力ロードカーブ算出プログラムの処理を終了する。
【０１３３】
〔その他の実施形態〕
なお、本発明の電力ロードカーブ算出プログラムは、本実施の形態にのみ限定されるものではなく、本発明の要旨を逸脱しない範囲内において種々変更を加え得ることは勿論である。
【０１３４】
例えば以下の各項に示した構成であっても前記の実施形態と同様の効果が得られる。
【０１３５】
〔１〕
各需要家における電気機器パラメータ及び前記電気機器の運転パラメータ、当該需要家における単位時間毎の電力量データ、並びに当該需要家における現在の電力ロードカーブデータを受け付けるステップと、
前記電気機器パラメータ、前記運転パラメータ、並びに前記ロードカーブデータに基づいて、当該需要家における現在の用途別電力量データを算出するステップと、
当該需要家に導入する新規電気機器に関する導入電気機器パラメータを受け付けるステップと、
前記現在の用途別電力量データと前記導入電気機器パラメータとに基づいて、前記新規電気機器導入後の電力ロードカーブデータを算出するステップと、をコンピュータに実行させるための電力ロードカーブ算出プログラム。
【０１３６】
〔２〕
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出するステップを前記コンピュータに実行させる、〔１〕に記載の電力ロードカーブ算出プログラム。
【０１３７】
〔３〕
前記コンピュータが電気機器パラメータ及び運転パラメータのデフォルト値データを格納するデフォルト値データベースに接続可能であって、
前記電気機器パラメータ及び前記運転パラメータとしてデフォルト値データを用いるか否かを判断するステップと、
当該需要家に適合するデフォルト値データをデフォルト値データベースから索出するステップと、
当該需要家に適合するデフォルト値データを電気機器パラメータ及び運転パラメータとして前記コンピュータに認識させるステップと、を前記コンピュータに実行させる、〔２〕に記載の電力ロードカーブ算出プログラム。
【０１３８】
〔４〕
前記コンピュータが電気機器の最適運転状況データを格納した最適運転データベースに接続可能であって、
前記電気機器パラメータ及び前記運転パラメータに基づいて、当該需要家における電気機器の最適運転状況データを算出するステップを前記コンピュータに実行させる、〔２〕または〔３〕に記載の電力ロードカーブ算出プログラム。
【０１３９】
〔５〕
各需要家における電気機器パラメータ及び前記電気機器の運転パラメータ、当該需要家における単位時間毎の電力量データ、並びに当該需要家における現在の電力ロードカーブデータを受け付ける手段と、
前記電気機器パラメータ、前記運転パラメータ、並びに前記ロードカーブデータに基づいて、当該需要家における現在の用途別電力量データを算出する手段と、
当該需要家に導入する新規電気機器に関する導入電気機器パラメータを受け付ける手段と、
前記現在の用途別電力量データと前記導入電気機器パラメータとに基づいて、前記新規電気機器導入後の電力ロードカーブデータを算出する手段と、を有する電力ロードカーブ算出システム。
【０１４０】
〔６〕
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出する手段を有する、〔５〕に記載の電力ロードカーブ算出システム。
【０１４１】
〔７〕
前記電力ロードカーブ算出システムが電気機器パラメータ及び運転パラメータのデフォルト値データを格納するデフォルト値データベースに接続可能であって、
前記電気機器パラメータ及び前記運転パラメータとしてデフォルト値データを用いるか否かを判断する手段と、
当該需要家に適合するデフォルト値データをデフォルト値データベースから索出する手段と、
当該需要家に適合するデフォルト値データを電気機器パラメータ及び運転パラメータとして前記コンピュータに認識させる手段と、を有する、〔６〕に記載の電力ロードカーブ算出システム。
【０１４２】
〔８〕
前記電力ロードカーブ算出システムが電気機器の最適運転状況データを格納した最適運転データベースに接続可能であって、
前記電気機器パラメータ及び前記運転パラメータに基づいて、当該需要家における電気機器の最適運転状況データを算出する手段を有する、〔６〕または〔７〕に記載の電力ロードカーブ算出システム。
【０１４３】
〔９〕
各需要家における電気機器パラメータ及び前記電気機器の運転パラメータ、当該需要家における単位時間毎の電力量データ、並びに当該需要家における現在の電力ロードカーブデータを受け付けるステップと、
前記電気機器パラメータ、前記運転パラメータ、並びに前記ロードカーブデータに基づいて、当該需要家における現在の用途別電力量データを算出するステップと、
当該需要家に導入する新規電気機器に関する導入電気機器パラメータを受け付けるステップと、
前記現在の用途別電力量データと前記導入電気機器パラメータとに基づいて、前記新規電気機器導入後の電力ロードカーブデータを算出するステップと、をコンピュータが実行する、電力ロードカーブ算出方法。
【０１４４】
〔１０〕
前記電気機器パラメータ、前記運転パラメータ、前記単位時間毎の電力量データ、前記現在の用途別電力量データ、前記導入電気機器パラメータ、並びに前記新規電気機器導入後の電力ロードカーブデータに基づいて、
当該需要家における電気機器改善データを算出するステップを前記コンピュータが実行する、〔９〕に記載の電力ロードカーブ算出方法。
【０１４５】
〔１１〕
前記コンピュータが電気機器パラメータ及び運転パラメータのデフォルト値データを格納するデフォルト値データベースに接続可能であって、
前記電気機器パラメータ及び前記運転パラメータとしてデフォルト値データを用いるか否かを判断するステップと、
当該需要家に適合するデフォルト値データをデフォルト値データベースから索出するステップと、
当該需要家に適合するデフォルト値データを電気機器パラメータ及び運転パラメータとして前記コンピュータに認識させるステップと、を前記コンピュータが実行する、〔１０〕に記載の電力ロードカーブ算出方法。
【０１４６】
〔１２〕
前記コンピュータが電気機器の最適運転状況データを格納した最適運転データベースに接続可能であって、
前記電気機器パラメータ及び前記運転パラメータに基づいて、当該需要家における電気機器の最適運転状況データを算出するステップを前記コンピュータが実行する、〔１０〕または〔１１〕に記載の電力ロードカーブ算出方法。
【０１４７】
本発明において、以上の各構成要素は、可能な限り組み合わせることができる。
【０１４８】
【発明の効果】
以上、説明したように本発明の電力ロードカーブ算出プログラムによれば、電気機器のパラメータの情報量に関わらず、電気機器の機器及び運用状況の改善後における電力ロードカーブを算出できる、という優れた効果を奏し得る。
【図面の簡単な説明】
【図１】本発明の一実施の形態における電力ロードカーブ算出システムの概略構成図。
【図２】本発明にかかる電力ロードカーブ算出処理の概略を示した図。
【図３】本実施の形態にかかるメニュー画面情報を出力したメニュー画面１０の一例。
【図４】本実施の形態にかかる基本情報入力画面の一例。
【図５】本実施の形態にかかる照明設備入力画面の一例。
【図６】本実施の形態にかかる空調設備入力画面の一例。
【図７】本実施の形態にかかる需給契約入力画面の一例。
【図８】本実施の形態にかかる運用パターン入力画面の一例。
【図９】本実施の形態にかかる代表日の単位時間毎の電力量変化表の一例。
【図１０】本実施の形態にかかる需要家における電気機器の改善による年間効果を示す、年間効果データ表の一例。
【図１１】本実施の形態にかかる夏期・冬期・中間期の代表日における需要家全体の単位時間毎の電力量の変化を示すグラフの一例。
【図１２】本実施の形態にかかる各期間における用途別単位時間毎の電力量の変化を示すグラフの一例として、夏期の照明設備の単位時間毎の電力量の変化を示す図。
【図１３】本実施の形態にかかる各期間の需要家全体の単位時間毎の電力量を用途別に分類した棒グラフの一例として、夏期における改善前後の単位時間毎の電力量を用途別に分類した棒グラフを示す図。
【図１４】本実施の形態にかかる需要家における改善前後の電力使用量を月毎に比較表示した棒グラフの一例。
【図１５】本実施の形態にかかる需要家における改善前後の年間電力使用量を比較表示した棒グラフの一例。
【図１６】本実施の形態にかかる需要家における改善前後の電気料金を月毎に比較表示した棒グラフの一例。
【図１７】本実施の形態にかかる需要家における改善前後の年間電気料金を比較表示した棒グラフの一例。
【図１８】本実施の形態にかかる照明設備の電力ロードカーブデータ及び改善データの算出処理を説明するフローチャート。
【図１９】本実施の形態にかかる照明設備の電力ロードカーブデータ及び改善データの算出処理を説明するフローチャート。
【図２０】本実施の形態にかかる空調設備の電力ロードカーブデータ及び改善データの算出処理について説明するフローチャート。
【図２１】本実施の形態にかかる空調設備の電力ロードカーブデータ及び改善データの算出処理について説明するフローチャート。
【図２２】本実施の形態にかかる空調設備の電力ロードカーブデータ及び改善データの算出処理について説明するフローチャート。
【図２３】本実施の形態にかかる照明設備の電力ロードカーブデータ及び改善データの算出処理で用いるデータテーブルの一例。
【図２４】本実施の形態にかかる空調設備の電力ロードカーブデータ及び改善データの算出処理に用いるデータテーブルの一例。
【図２５】本実施の形態にかかる空調設備の電力ロードカーブデータ及び改善データの算出処理に用いるデータテーブルの一例。
【図２６】本実施の形態に係る空調設備の電力ロードカーブデータ及び改善データの算出処理に用いるデータテーブルの一例。
【図２７】本実施の形態に係る空調設備の電力ロードカーブデータ及び改善データの算出処理に用いるデータテーブルの一例。
【符号の説明】
１          実績データベース
１ａ      実績パラメータ
２          需要家電力データベース
２ａ      既存設備データベース
２ｂ      導入電気機器データベース
３          シミュレーションイメージ
３ａ      実績ロードカーブデータ
３ｂ      用途別ロードカーブデータ
３ｃ      用途別ロードカーブデータ
４          効果データ
１０      メニュー画面
１１      必須設備パラメータ入力ボタン
１１ａ  建物情報入力ボタン
１１ｂ  契約電力入力ボタン
１１ｃ  単位時間毎の電力量入力ボタン
１１ｄ  使用電力量入力ボタン
１１ｅ  実績情報入力ボタン
１１ｆ  設備情報入力ボタン
１２      入力情報クリアボタン
１３      設備パラメータ自動入力ボタン
１４      設備パラメータ自動再入力ボタン
１５      自動入力値修正ボタン
１５ａ  需給契約入力ボタン
１５ｂ  照明設備、その他機器設備入力ボタン
１５ｃ  空調設備入力ボタン
１５ｄ  運用パターン入力ボタン
１６      新規照明設備入力ボタン
１７      新規空調設備入力ボタン
１８      ピーク調整入力ボタン
１９      シミュレーション実行ボタン
２０      基本情報入力画面
２１      建物情報入力部
２２      契約電力入力部
２３      単位時間毎の電力量入力部
２４      使用電力量入力部
２５      実績情報入力部
３０      照明設備入力画面
３１      照明省エネ入力部
３２      照明設備情報入力部
３３      詳細照明設備情報入力部
３３ａ  標準値ボタン
３４      照明器具台数情報入力部
３５      照明電力入力部
４０      空調設備入力画面
４１      空調条件入力部
４２      冷熱源情報入力部
４３      温熱源情報入力部
４４      二次側機器情報入力部
４５      蓄熱槽情報入力部
５０      需給契約入力画面
５１      需給契約入力部
５２      割引単価情報入力部
５３      ピーク調整入力部
６０      運用パターン入力画面
６１      運用パターン表示部
６２      運用パターン選択部
６３      運用パターン数値入力部
６４      消灯情報入力部
７０    データテーブル
７０ａ  設備パラメータテーブル
７０ｂ  デフォルトテーブル
７０ｃ照明消費電力データテーブル
７０ｄ  標準削減電力量テーブル
７０ｅ運転パラメータデータテーブル
７０ｆ  デフォルトテーブル
７０ｇ  単位時間毎の電力量データテーブル
８０      データテーブル
８０ａ設備パラメータテーブル
８０ｂ  効果条件パラメータ
８０ｃ  デフォルトテーブル
８０ｄ外部熱負荷のデフォルトテーブル
８０ｅ空調機熱負荷テーブル
８０ｆ設備パラメータデータテーブル
８０ｇ  デフォルトテーブル
８０ｈ  消費電力算出テーブル
８１        データテーブル
８１ａ  消費電力補正データテーブル
８１ｂ  効果条件パラメータ
８１ｃ  デフォルトテーブル
８１ｄ  設備導入判断基準データテーブル
８１ｅ  導入後消費電力量データテーブル
１００  電力ロードカーブ算出システム
１０１  ＣＰＵ
１０２  メインメモリ
１０３  演算処理部
１０４  記憶装置
１０５  プリンタ
１０６  ディスプレイ
１０７  キーボード
１０８  バス
１０９  ＣＤ−ＲＯＭドライブ装置
【図１】
2004272340.tif 000003
【図２】
2004272340.tif 000004
【図３】
2004272340.tif 000005
【図４】
2004272340.tif 000006
【図５】
2004272340.tif 000007
【図６】
2004272340.tif 000008
【図７】
2004272340.tif 000009
【図８】
2004272340.tif 000010
【図９】
2004272340.tif 000011
【図１０】
2004272340.tif 000012
【図１１】
2004272340.tif 000013
【図１２】
2004272340.tif 000014
【図１３】
2004272340.tif 000015
【図１４】
2004272340.tif 000016
【図１５】
2004272340.tif 000017
【図１６】
2004272340.tif 000018
【図１７】
2004272340.tif 000019
【図１８】
2004272340.tif 000020
【図１９】
2004272340.tif 000021
【図２０】
2004272340.tif 000022
【図２１】
2004272340.tif 000023
【図２２】
2004272340.tif 000024
【図２３】
2004272340.tif 000025
【図２４】
2004272340.tif 000026
【図２５】
2004272340.tif 000027
【図２６】
2004272340.tif 000028
【図２７】
2004272340.tif 000029